(57)【特許請求の範囲】
【請求項１】
調理物を加熱するためのヒ−タと、前記調理物を載置させる焼網と、前記焼網を着脱自在に載置した焼網支持枠と、前記ヒ−タ、焼網、焼網支持枠を内蔵させ、且つ前部が開閉自在の扉からなる内筐体とを有し、前記焼網支持枠を前記内筐体の両側面に設けた長穴に貫通した軸と、略コの字状の形状を有する枠材で構成し、前記枠材を前記軸に固定するとともに前記枠材の両端面を回動自在に前記扉に係合させたオ−ブント−スタ−。
【請求項２】
焼網支持枠の枠材の両端部に上方への突設を設け回動自在に前記扉に係合させるとともに、前記焼網支持枠の枠材の内筐体の奥側部分に上方への突設を設けた請求項１記載のオ−ブント−スタ−
【請求項３】
焼網支持枠の枠材の上方への突設部分に対向する焼網の外周枠材のコ−ナ部を窪ませ、焼網を焼網支持枠上に着脱自在に載置した請求項２記載のオ−ブント−スタ−。
【請求項４】
焼網支持枠の枠材の上方への突設部分に対向する焼網の外周枠材に凸部を設け、焼網を焼網支持枠上に着脱自在に載置した請求項２記載のオ−ブント−スタ−。
【請求項５】
焼網支持枠の枠材の上方への突設部分に対向する焼網の中央部を構成する線材の一部線材を焼網の外周枠材より外側に突出させ、焼網を焼網支持枠上に着脱自在に載置した請求項２記載のオ−ブント−スタ−。
【発明の詳細な説明】
【０００１】
【発明の属する技術分野】
本発明は、一般家庭で使用するオーブントースターに関するものである。
【０００２】
【従来の技術】
従来この種のオーブントースターは、特開平３−２４１２３７号公報に示される構成となっている。以下図６、図７に基ずいて、このオ−ブント−スターについて説明する。調理庫５１を形成する内筐体５２の側壁には、上ヒ−タ５３、下ヒ−タ５４を懸架している。この上ヒ−タ５３、下ヒ−タ５４間には焼網５５を設けている。また本体５８の前面には、内筐体５２の前側開口部を開閉する中央部分が透視用のガラス５７で構成された扉５６を設けている。扉５６の調理庫５１側に焼網５５の前方側を着脱自在に係止するヒンジ部５９が設けられている。
【０００３】
６０は内筐体５１の左右側壁に設けられた円弧状の穴部６１に貫通し設けられた軸であり、軸６０はバネ６２により後方側に付勢されている。焼網５５は前方を着脱自在にヒンジ部５９に係止され、焼網５５の後方は軸６０に着脱自在に係止されている。
【０００４】
以上の構成で、扉５６の開閉を行うと、焼網５５はヒンジ部５９により前後に移動するとともに、焼網５５の後方部で係止された軸６０も円弧状の穴部６１内を前後に移動される。また、ヒンジ部５９と軸６０に係止した焼網５５を各々係止部を外すと焼網５５は取り外すことができる。
【０００５】
【発明が解決しようとする課題】
しかしこの様な従来構成では、焼網５５を取り外すと扉５６は扉５６の回動軸部のみで支持され、扉５６の本体への取り付け強度が弱くなり、この状態で扉５６を開閉させると回動軸部に荷重がかかり、回動軸部を変形または破損させてしまう恐れがあり、扉５６の支持強度が弱くなる欠点があった。
【０００６】
また、焼網５５を取り付ける時、最初に焼網５５の軸６０への係止部分を軸６０に係止させ、次に焼網５５を前方に引張、軸６０を円弧状の穴部６１内を移動させ、焼網５５を引っ張った状態で、焼網５５の前部をヒンジ部５９に引っ掛ける操作が必要であり、焼網５５の着脱操作が難しい欠点があった。
【０００７】
また、焼網５５の形状も軸６０への係止部や、後方部の調理物落下防止のためのＬ字状の曲げなどにより形状が複雑になり、また線材の端面を有するため、焼網５５の清掃がやり難い欠点があった。
【０００８】
本発明はこのような従来の課題を解決するもので、焼網の着脱操作の容易な、強度の高い、使い勝手の良い、安全で安価な焼網の着脱構成を有するオ−ブント−スタを提供することを目的としている。
【０００９】
【課題を解決するための手段】
上記従来の課題を解決するために本発明は、調理物を加熱するためのヒ−タと、前記調理物を載置させる焼網と、前記焼網を着脱自在に載置した焼網支持枠と、前記ヒ−タ、焼網、焼網支持枠を内蔵させ、且つ前部が開閉自在の扉からなる内筐体とを有し、前記焼網支持枠を前記内筐体の両側面に設けた長穴に貫通した軸と、略コの字状の形状を有する枠材で構成し、前記枠材を前記軸に固定するとともに前記枠材の両端面を回動自在に前記扉に係合させた構成のオ−ブント−スタ−とするものである。
【００１０】
【発明の実施の形態】
上記の課題を解決するために請求項１記載の発明は、調理物を加熱するためのヒ−タと、前記調理物を載置させる焼網と、前記焼網を着脱自在に載置した焼網支持枠と、前記ヒ−タ、焼網、焼網支持枠を内蔵させ、且つ前部が開閉自在の扉からなる内筐体とを有し、前記焼網支持枠を前記内筐体の両側面に設けた長穴に貫通した軸と、略コの字状の形状を有する枠材で構成し、前記枠材を前記軸に固定するとともに前記枠材の両端面を回動自在に前記扉に係合させた構成としたもので、焼網支持枠を扉に連結させた状態で焼網支持枠上に載置した焼網のみを容易に着脱でき、焼網を取り外しても、扉は焼網支持枠により保持されていることにより、扉の保持強度を保つことができる。
【００１１】
また、前記焼網支持枠を前記内筐体の両側面に設けた長穴に貫通した軸と扉の回動軸を中心とし、焼網支持枠は扉の回動に連動して内筐体出入りし容易に焼網上に載置された調理物を出し入れすることができるともに、前記焼網支持枠の軸は直線状にでき軸の位置ずれがすくなく寸法精度を高めることができ、また、強度があり、さらに形状も簡素化でき、安価で操作性の良いオ−ブント−スタ−を提供することができる。
【００１２】
また、請求項２記載の発明は、焼網支持枠の枠材の両端部に上方への突設を設け回動自在に前記扉に係合させるとともに、前記焼網支持枠の枠材の内筐体の奥側部分に上方への突設を設けた構成としたもので、焼網支持枠の枠材の両端部に上方への突設部分と焼網支持枠の枠材の内筐体の奥側部分に設けた上方への突設部分により焼網支持枠上に着脱自在に載置された焼網の位置決めが容易にできる。
【００１３】
また、焼網支持枠の枠材の両端部に上方への突設を設け回動自在に前記扉に係合させたことにより扉の回転中心から焼網支持枠の枠材の回動自在に扉に係合させた位置までの距離を大きくでき、焼網支持枠の回転半径が大きくなり、内筐体内での焼網のヒ−タからの高さ寸法を変える事なく、扉を開いた時この扉の回動に連動して焼網の出しろ寸法を大きくでき、焼網上への調理物の載置や取り出しが容易することができ、また、火傷の危険性も少なくでき安全性を高めることができる。
【００１４】
また、請求項３記載の発明は、焼網支持枠の枠材の上方への突設部分に対向する焼網の外周枠材のコ−ナ部を窪ませ、焼網を焼網支持枠上に着脱自在に載置した構成としたもので、焼網支持枠上に着脱自在に載置された焼網の左右および前後方向とも規制され容易に位置決めができ、また扉を開閉し焼網が前後に移動しても焼網支持枠から外れることもなく操作性をよくすることができる。
【００１５】
また、請求項４記載の発明は、焼網支持枠の枠材の上方への突設部分に対向する焼網の外周枠材に凸部を設け、焼網を焼網支持枠上に着脱自在に載置した構成としたもので、焼網支持枠上に着脱自在に載置された焼網の左右および前後方向とも規制され容易に位置決めができ、また焼網の外周枠材の凸部成形の形状も単純でありプレス加工が容易にでき安価な焼網を提供することができる。
【００１６】
また、請求項５記載の発明は、焼網支持枠の枠材の上方への突設部分に対向する焼網の焼網の中央部を構成する線材の一部線材を焼網の外周枠材より外側に突出させ、焼網を焼網支持枠上に着脱自在に載置した構成としたもので、焼網の外周枠材は単純な四角形であり加工が容易で、焼網支持枠上に着脱自在に容易に焼網を載置させることができる。
【００１７】
【実施例】
（実施例１）
以下、本発明の第１の実施について、図面を参照しながら説明する。
【００１８】
図１〜図２において、１は前面側が開口した外筐体であり、３は調理庫２を形成する内筐体である。４は内筐体３の上部側壁に懸架された上ヒータであり、５は内筐体３の下部側壁に懸架された下ヒータである。
【００１９】
６は上ヒータ４と下ヒータ５間に前後にスライド自在に内筐体３内に設けた焼網支持枠であり、この焼網支持枠６は内筐体３の左右両側面に設けた長穴３ａに両端面が貫通した直線上の軸６ａであり、また６ｂは略コの字状の枠材であり、この枠材６ｂは軸６ａにスッポト溶接により固定されるとともに、この枠材６ｂの両端面は、前面側の開口を開閉する扉７の庫内側の面に調理庫２に突出して設けられたヒンジ部７ａに回動自在に係合し設けられている。７ｂは扉７の中央部分を構成する透視用に設けたガラスである。扉７の下部の軸７ｃを中心とし扉７は回転自在に本体に取り付けられている。扉７の開閉に連動して焼網支持枠６は前後にスライドする。
【００２０】
８は焼網支持枠６上に着脱自在載置された焼網である。９は外筐体１の前面の扉７の右方に設けられた前板であり、前板９にはタイマ−１０が設けられている。
また、１１は内筐体３の下方開口部に前後方向に着脱自在に設けられた屑受け皿である。
【００２１】
以上のように本実施例によれば、焼網８を取り外す時、扉７を開くと、扉７に連動して焼網支持枠６が前方にスライドして移動し、焼網支持枠６上に載置された焼網８が着脱でき、焼網支持枠６を扉７に連結させた状態で焼網支持枠６上に載置した焼網８のみを容易に着脱することができ、焼網８を取り外しても、扉７は焼網支持枠６により保持されていることにより、扉７の保持強度を保つことができ、また、調理物が直接載置され汚れやすい焼網８のみを取り外すことができ、掃除も容易であり、強度の高い、操作性の良いオ−ブント−スタ−を提供することができる。
【００２２】
また、扉７のヒンジ部７ａに回動自在に端面が係止された枠材６ｂと前記内筐体３の左右側壁の長穴部３ａに係合させた軸６ａにより焼網支持枠６を構成させたことにより、内筐体３の左右側壁の長穴部３ａに係合する軸６ａは直線状であり、また扉７のヒンジ部７ａに回動自在に端面が係止された枠材６ｂは略コの字状の形状を単純な形状で構成することができ、寸法精度を高めることができ、また、一体化により強度があり、安価で操作性の良いオ−ブント−スタ−を提供することができる。
【００２３】
また、軸６ａの両端は、内筐体３の左右両側面に設けた略円弧状の長穴３ａを貫通し設けられるとともに軸６ａの左右両端部には焼網支持枠６を調理庫２内側にに付勢させるバネの一端が取り付けられている。  軸６ａの両端面は調理庫２外に位置し、軸６ａの左右両端部に清掃時等手を触れることがなく、端面エッジで怪我をする恐れがなく安全であり、また、扉７の開閉時、内筐体３の左右両側面に設けた略円弧状の長穴３ａに挿入された軸６ａの左右両端部分が習動し焼網支持枠６が前後にスライドするが、線材で構成されているため習動が滑らかであるとともに、１本の線材で構成されたことににより、寸法形状のバラツキが少なく、焼網支持枠６を滑らかにスライドさせることができる。また、線材により焼網支持枠６の形状および加工を簡素にできる。
【００２４】
（実施例２）
図３は本発明の実施例２、３のオーブントースターにおける焼網支持枠および焼網の要部斜視図を示すものである。尚、実施例１と同一符号のものは同一構造を有し、詳細な説明は省略する。
【００２５】
図３において、焼網支持枠６を構成する枠材６ｂのヒンジ部７ａに回動自在に係止された近傍部を上方へ突出させた支柱６ｃを設け、さらに、枠材６ｂの後方部分を上方に突出させ支柱６ｄを設け、支柱６ｃと支柱６ｄ間に焼網８を着脱自在に焼網支持枠６上に載置されている。
【００２６】
上記構成により、焼網支持枠６上に着脱自在に載置された焼網８は着脱時、支柱ｃと支柱ｄがガイドとなり容易に着脱ができ、扉７を開閉し焼網支持枠６を移動させても支柱ｃと支柱ｄがスットパ−となり焼網８は焼網支持枠６から落下する恐れがなく、安全で使い勝手の良い焼網着脱構成を提供することができる。
【００２７】
（実施例３）
実施例３の説明を実施例２と同じく図３を用いて行う。尚、実施例１、２と同一符号のものは同一構造を有し、詳細な説明は省略する。
【００２８】
図３において、焼網支持枠６を構成する枠材６ｂに設けた支柱６ｃと支柱６ｄに対向する焼網８の外周部を構成する枠線材のコ−ナ−部分に凹８ａを設けている。
【００２９】
上記構成により、焼網支持枠６上に着脱自在に載置された焼網８は着脱時、支柱ｃと支柱ｄがガイドとなり焼網８の左右前後方向とも位置が規制され容易に着脱ができ、扉７を開閉し焼網支持枠６を移動させても支柱ｃと支柱ｄがストッパ−となり焼網８は左右方向および前後方向とも焼網支持枠６から落下する恐れがなく、安全で使い勝手の良い焼網着脱構成を提供することができる。
【００３０】
（実施例４）
図４は本発明の実施例４のオーブントースターにおける焼網支持枠および焼網の要部斜視図を示すものである。尚、実施例１、２と同一符号のものは同一構造を有し、詳細な説明は省略する。
【００３１】
図４において、焼網支持枠６を構成する枠材６ｂに設けた支柱６ｃと支柱６ｄに対向する焼網８の外周部の左右側辺の近傍部分に凸部８ｂを各々設けている。
【００３２】
上記構成により、焼網支持枠６上に着脱自在に載置された焼網８は着脱時、支柱ｃと支柱ｄがガイドとなり焼網の左右前後方向とも位置が規制され容易に着脱ができ、扉７を開閉し焼網支持枠６を移動させても支柱ｃと支柱ｄが凸部８ｂのストッパ−となり焼網８は左右方向および前後方向とも焼網支持枠６から落下する恐れがなく、安全で使い勝手の良い焼網着脱構成を提供することができる。
【００３３】
（実施例５）
図５は本発明の実施例５のオーブントースターにおける焼網支持枠および焼網の要部斜視図を示すものである。尚、実施例１、２と同一符号のものは同一構造を有し、詳細な説明は省略する。
【００３４】
図５において、焼網８の網線を前後方向および左右方向にクロス状に設け、前記焼網支持枠６を構成する枠材６ｂに設けた支柱６ｃと支柱６ｄに対向する焼網８の左右方向の網線の端面を焼網８の外周部より突出した凸部８ｃをに設けている。
【００３５】
上記構成により、焼網支持枠６上に着脱自在に載置された焼網８は着脱時、支柱ｃと支柱ｄがガイドとなり凸部８ｃ焼網８の外周部が案内され、焼網８の左右前後方向とも位置が規制され容易に着脱ができ、扉７を開閉し焼網支持枠６を移動させても支柱ｃと支柱ｄが凸部８ｂおよび焼網８の外周部のストッパ−となり焼網８は左右方向および前後方向とも焼網支持枠６から落下する恐れがなく、安全で使い勝手の良い、さらに、加工が簡単な安価な焼網着脱構成を提供することができる。
【００３６】
【発明の効果】
以上のように、請求項１記載の発明によれば、焼網支持枠上に載置された焼網を容易に取り外す事ができ、焼網支持枠を扉に連結させた状態で焼網支持枠上に載置した焼網のみを容易に着脱でき、焼網を取り外しても、扉は焼網支持枠により保持されていることにより、扉の保持強度を保つことができ、また、調理物が直接載置され汚れやすい焼網のみを取り外すことができ、掃除も容易であり、また、扉のヒンジ部に回動自在に端面が係止された枠材と前記内筐体の左右側壁の長穴部に係合させた軸により焼網支持枠を構成させたことにより、内筐体の左右側壁の長穴部に係合する軸は直線状であり、また扉のヒンジ部に回動自在に端面が係止された枠材は略コの字状の形状を単純な形状で構成することができ、寸法精度を高めることができ、また、一体化により強度があり、安価で操作性の良いオ−ブント−スタ−を提供することができる。
【００３７】
また、軸の両端は、内筐体の左右両側面に設けた略円弧状の長穴を貫通し設けられ、軸の両端面は調理庫外に位置し、軸の左右両端部に清掃時等手を触れることがなく、端面エッジで怪我をする恐れがなく安全であり、また、扉の開閉時、内筐体の左右両側面に設けた略円弧状の長穴に挿入された軸の左右両端部分が習動し焼網支持枠が前後にスライドするが、線材で構成されているため習動が滑らかであるとともに、１本の線材で構成されたことににより、寸法形状のバラツキが少なく、焼網支持枠を滑らかにスライドさせることができ、寸法精度を高めることができ、また、強度があり、さらに形状も簡素化でき、安価で操作性の良いオ−ブント−スタ−を提供することができる。
【００３８】
請求項２記載の発明によれば、焼網支持枠上に着脱自在に載置された焼網は着脱時、支柱がガイドとなり容易に着脱ができ、扉を開閉し焼網支持枠を移動させても支柱がスットパ−となり焼網は焼網支持枠から落下する恐れがなく、安全で使い勝手の良い焼網着脱構成を提供することができる。
【００３９】
請求項３記載の発明によれば、焼網支持枠上に着脱自在に載置された焼網は着脱時、支柱がガイドとなり焼網の左右前後方向とも位置が規制され容易に着脱ができ、扉を開閉し焼網支持枠を移動させても支柱がストッパ−となり焼網は左右方向および前後方向とも焼網支持枠から落下する恐れがなく、安全で使い勝手の良い焼網着脱構成を提供することができる。また、加工も簡単であり安価なオ−ブント−スタ−を提供することができる。
【００４０】
請求項４記載の発明によれば、焼網支持枠上に着脱自在に載置された焼網は着脱時、支柱がガイドとなり焼網の左右前後方向とも位置が規制され容易に着脱ができ、扉を開閉し焼網支持枠を移動させても支柱がストッパ−となり焼網は左右方向および前後方向とも焼網支持枠から落下する恐れがなく、安全で使い勝手の良い焼網着脱構成を提供することができる。また、加工も簡単であり安価なオ−ブント−スタ−を提供することができる。
【００４１】
請求項５記載の発明によれば、焼網支持枠上に着脱自在に載置された焼網は着脱時、支柱がガイドとなり焼網の左右方向の網線の端面を焼網の外周部より突出した凸部と焼網の外周部が案内され、焼網の左右前後方向とも位置が規制され容易に着脱ができ、扉を開閉し焼網支持枠を移動させても支柱が前記凸部および焼網の外周部がストッパ−となり焼網は左右方向および前後方向とも焼網支持枠から落下する恐れがなく、安全で使い勝手の良い、さらに、加工が簡単な安価な焼網着脱構成を提供することができる。
【図面の簡単な説明】
【図１】本発明の実施例１におけるオ−ブント−スタ−の要部縦断面図
【図２】同オ−ブント−スタ−の斜視図
【図３】本発明の実施例２、３におけるオ−ブント−スタ−の焼網支持枠および焼網の要部斜視図
【図４】本発明の実施例４におけるオ−ブント−スタ−の焼網支持枠および焼網の要部斜視図
【図５】本発明の実施例５におけるオ−ブント−スタ−の焼網支持枠および焼網の要部斜視図
【図６】従来のオーブントースターの縦断面図
【図７】従来のオーブントースターの本体斜視図
【符号の説明】
１      外筐体
２    調理庫
３    内筐体
３ａ  長穴
４    上ヒータ
５    下ヒータ
６    焼網支持枠
６ａ  軸
６ｂ  枠材
６ｃ  支柱
６ｄ  支柱
７    扉
７ａ  ヒンジ部
８    焼網
８ａ  凹部
８ｂ  凸部
８ｃ  凸部
【図１】
0003596440.tif 000002
【図２】
0003596440.tif 000003
【図３】
0003596440.tif 000004
【図４】
0003596440.tif 000005
【図５】
0003596440.tif 000006
【図６】
0003596440.tif 000007
【図７】
0003596440.tif 000008